(57)【要約】【課題】  暗証番号を使用することに基づく貴重品の保管・管理に関する問題点を解決すとともに、ＩＣカードを収納ボックスの中に誤っていれることを防止する集合型貴重品保管装置を提供すること。【解決手段】  利用者がＲＦＩＤタグを内蔵したＩＣカード７をリーダライタ４に接近して、枠部43で囲まれたＩＣカード保持手段に取り外し困難または取り外し不能に保持させたのち、収納ボックス番号の選択および生体特徴データの収集が行われ、かつ、収納ボックスを完全に施錠するという一連の動作が完結されると、昇降部材44を上昇させて枠部43の中からＩＣカード７を押し上げて取り外しを容易ならしめるように構成したものである。【選択図】    図４
2011137351.tif 000002
【特許請求の範囲】
【請求項１】
扉の開閉を電磁錠で行う複数の収納ボックスを有する集合型貴重品保管装置において、
利用者に空いている収納ボックスと操作方法を表示する操作・表示部と、
ＩＣカードに内蔵されたＲＦＩＤタグと通信を行い、当該ＲＦＩＤタグのＩＤデータを読み取るリーダライタと、
該リーダライタに接近して配置され、上記ＩＣカードを保持して拘束・開放するＩＣカード保持手段と、
利用者の特徴を収集する生体特徴認識センサーと、
上記リーダライタによって読み取られたＩＤデータ、利用者が選択した収納ボックスの番号および上記生体特徴認識センサーによって収集された生体特徴データを処理・記憶するコンピュータとを備え、
暗証番号を使用することなく、ＲＦＩＤタグのＩＤデータと生体特徴データとに基づいて上記扉の電磁錠を施錠・解錠することを特徴とする集合型貴重品保管装置。
【発明の詳細な説明】
【技術分野】
【０００１】
この発明は、暗証番号を使用することなく、指紋、虹彩模様などの特徴を生体特徴認識センサーによって収集した生体特徴データと、ＩＣカードやスコアカード（以下、「ＩＣカード」という）に組み込まれたＲＦＩＤ（Radio Frequency Identificationの略）タグに格納されているＩＤデータとに基づいて施錠・解錠を行う集合型貴重品保管装置に関する。
【背景技術】
【０００２】
ゴルフ場やフィットネスクラブのように不特定多数の客が来場し、客が施設に滞在中に貴重品を身から離さざるを得ない状況が生じる場所では、暗証番号を入力して施錠・解錠を行う集合型の貴重品保管装置が設置されている。
【０００３】
暗証番号を入力する装置においては、暗証番号を忘れないように生年月日や電話番号を設定している客が後を絶たないために、第三者に暗証番号を把握される虞があり、盗難の一因となっている。また、最初に暗証番号を入力するときに、キー操作を誤って、客が思い込んでいる暗証番号とは異なる暗証番号を入力してしまうと、貴重品を取り出すときに、客が思い込んでいる暗証番号を入力しても解錠できないことがあった。
【０００４】
そこで、暗証番号を利用することなく、指紋認識センサーなどの生体特徴認識センサーにより収集した生体特徴データを利用して、施錠・解錠を行う貴重品保管装置が、下記特許文献１に開示されている。
【０００５】
しかし、指紋や掌紋などの生体の特徴は、気温の変化や、激しく手を使う運動をした場合や、入浴後においては、始めに読み取った指紋や掌紋などのデータが変化していることがあって、照合したときに不一致になることがあり、また、生体特徴認識センサーが汚染された場合には読み取り不能になることがあった。
【０００６】
このような問題を解決するために、生体特徴認識センサーの他にＲＦＩＤタグを内蔵したＩＣカードを併用して、収集した生体特徴データと、ＲＦＩＤタグから読み取ったＩＤデータと、利用者が選択した収納ボックス番号とよりなる３つのデータを関連付けてメモリに格納することにより、利用者が貴重品を入れた収納ボックスの番号を覚えておく必要がなく、利用した収納ボックスの番号を忘れても、ＲＦＩＤタグのＩＤデータより利用した収納ボックスを特定することが可能になり、また、利用者がＩＣカードを紛失してＩＤデータが収集できなくなっても、生体特徴データを収集できれば、利用した収納ボックス番号を機械的に把握できるように、３つのデータのうち、いずれか１つのデータが欠落しても、利用者の申告に頼ることなく欠落したデータの補完が可能な集合型貴重品保管装置が、下記特許文献２に開示されている。
【先行技術文献】
【特許文献】
【０００７】
【特許文献１】特開２００６−２１９９２１号公報
【特許文献２】特開２００７−１０７３２５号公報
【発明の開示】
【発明が解決しようとする課題】
【０００８】
収集した利用者に係る生体特徴データと、ＩＤデータと、収納ボックス番号とよりなる３つのデータを関連付けてメモリに格納しても、利用者が、貴重品とともに誤ってＲＦＩＤタグを内蔵したＩＣカードを貴重品保管庫に入れて施錠することがあった。
【０００９】
このように、貴重品保管庫にＩＣカードを入れられ、しかも収納ボックス番号を忘れられると、ＩＤデータと利用者が使用した収納ボックス番号との２つのデータが不明になり、しかも、ＩＣカードがなければ、利用者は施設の利用ができなくなるので、速やかに取り出さなければならないという問題があった。
【００１０】
そこで、この発明は、このようなＲＦＩＤタグを内蔵したＩＣカードを誤って貴重品とともに収納ボックスに入れて施錠されることを防止するために考えられたものである。
【課題を解決するための手段】
【００１１】
この発明の集合型貴重品保管装置は、扉の開閉を電磁錠で行う複数の収納ボックスを有する集合型貴重品保管装置において、利用者に空いている収納ボックスと操作方法を表示する操作・表示部と、ＩＣカードに内蔵されたＲＦＩＤタグと通信を行い、当該ＲＦＩＤタグのＩＤデータを読み取るリーダライタと、このリーダライタに接近して上記ＩＣカードを保持して拘束・開放するＩＣカード保持手段と、利用者の特徴を収集する生体特徴認識センサーと、上記リーダライタによって読み取られたＩＤデータ、利用者が選択した収納ボックス番号および上記生体特徴認識センサーによって収集された生体特徴データを処理・記憶するコンピュータとを備え、暗証番号を使用することなく、ＲＦＩＤタグのＩＤデータと生体特徴データとに基づいて上記扉の電磁錠を施錠・解錠するものである。
【発明の効果】
【００１２】
この発明の集合型貴重品保管装置によると、利用者がＲＦＩＤタグを内蔵したＩＣカードをリーダライタに接近したＩＣカード保持手段に取り外し困難または取り外し不能に保持させたのち、収納ボックス番号の選択および生体特徴データの収集が行われ、かつ、収納ボックスを完全に施錠するという一連の動作が完結されなければ、ＩＣカード保持手段からＩＣカードを取り外せないように構成されているので、収納ボックスに貴重品とともに誤ってＩＣカードを入れることを防止できる。
【発明を実施するための最良の形態】
【００１３】
次に、この発明の集合型貴重品保管装置をゴルフ場に設置した場合を例に挙げて説明するが、ゴルフ場に限ることなく貴重品を保管する各種の分野に適用することが可能である。
【００１４】
この発明の集合型貴重品保管装置は、図１の斜視図に示すように、筐体本体１と、この筐体本体１の正面に配列された複数の扉21付き収納ボックス２と、操作・表示部３とを備え、スコアカードホルダーなどのＩＣカード７と、このＩＣカード７に内蔵されたＲＦＩＤタグ８（図６、図７参照）とにより構成されている。
【００１５】
図２に拡大して示すように、操作・表示部３は、筐体本体１の正面のほぼ中央で操作し易い位置に配置されており、この操作・表示部３には、タッチパネル31と、ＩＣカード７を保持する枠部43と、この枠部43の下にＩＣカードに接近して配置されたリーダライタ４とを備え、さらに指紋リーダー５が設けられており、筐体本体１の下部にはコンピュター６よりなる制御装置および電源装置など（図示せず）が収納されている。
【００１６】
収納ボックス２の各開口部には扉21を備えており、扉21を施錠・解錠する電磁錠（図示せず）が設けられている。各扉21の表面には使用中か未使用かを表示するＬＥＤなどの表示器22が設けられている。なお、各扉21に表示器22を設けることなく、タッチパネル31のみに使用中か未使用かを表示してもよいのである。
【００１７】
操作・表示部３は、収納ボックス２の縦方向２つ分または３つ分のスペースを用いて、利用者が操作し易く、周囲から覗かれないようにように筐体本体１の中央で奥まって配置したタッチパネル31（図３参照）を利用して、利用者に操作方法を表示するとともに、利用者に収納ボックス２の選択および指定を行わせる。
【００１８】
図４の縦断面図に示すように、電波を透過させる合成樹脂製のパネル46の表面には、ＩＣカード７を囲んで保持する枠部43が設けられ、この枠部43で囲まれた区画の下にリーダライタ４が設けられている。
【００１９】
ＩＣカード７を保持する枠部43は、その内側の形状がＩＣカード７の外形よりも僅かに大きく形成されたもので、一旦、枠部43の中にＩＣカード７を嵌め込むと取り出し難くなるものである。
【００２０】
枠部43で囲まれた内側には、上下に昇降する昇降部材44が設けられ、この昇降部材44を駆動する電磁ソレノイドまだはモータなどの駆動手段45が設けられている。
【００２１】
昇降部材44は、常時低下して枠部43で囲まれた表面が平坦になっており、利用者がＩＣカード７を枠部43に嵌め込むことによって開始される一連の手順を完結したときに、昇降部材44が上昇して、図４に点線で示すように、ＩＣカード７の全体または端部を押し上げることにより、ＩＣカード７を枠の中から取り外すことを容易にするものである。
【００２２】
さらに、生体特徴データを収集する指紋リーダー５が設けられている。なお、この生体特徴データを収集する手段として、指紋のほかに掌紋、掌の血管模様、顔の輪郭、目の虹彩の模様などを利用することができる。また、人の接近を感知する生体センサー、音声案内用スピーカーなどが設けられている。
【００２３】
指紋リーダー５は、個人に特有な指紋のパターンを収集するもので、収集した指紋のパターンを個人データとしてコンピュータ６で処理してメモリーに格納し、再度指紋リーダー５に触れた人の指紋データとの一致・不一致を判断して同一人物であるか否かを確認するものである。
【００２４】
図６のブロック図および図７の概略図に示すように、ＩＣカード７は、ＲＦＩＤ８として動作するＩＣチップ81およびアンテナ82を有し、リーダライタ４と無線によって交信することにより、非接触でＩＣチップ81のメモリに格納されているデータを読み書きするもので、遮蔽物を透過して読み書きが可能であり、セキュリティに優れている。
【００２５】
ＲＦＩＤタグ８は、フィルム基板に形成されたコイル状のアンテナ82と、このアンテナ82に接続されたＩＣチップ81とにより構成される。ＩＣチップ81には、記憶部、電源整流部、送信部、受信部を具備している。そして、このＲＦＩＤタグ８を内蔵したＩＣカード７をスコアカードホルダーに挟み込んで使用するか、ＲＦＩＤタグ８とスコアカードホルダーとを一体化してもよいのである。
【００２６】
データ処理手段は、ＩＣカード７のＩＤデータを管理するＲＦＩＤタグ８と交信して、そのＩＤデータを認識・制御するリーダライタ４と、情報処理を行うコンピュータ６とにより構成される。電池を内蔵しないＲＦＩＤタグ８は、リーダライタ４のアンテナ41から放射される電波を受信して整流し、動作電源とすることにより、ＩＣチップ81にデータを登録、またデータを返送する。
【００２７】
このリーダライタ４は、図４の縦断面図に示すように、操作・表示部３内の枠部43の下に配置されており、ＲＦＩＤタグ８と交信するアンテナ41とコントローラー42とにより構成され、コントローラー42はコンピュータ６に接続されている。
【００２８】
次に、このように構成された集合型貴重品保管装置の利用手順をゴルフ場に設置した場合を例に挙げて説明する。
【００２９】
来場した客（利用者）が、フロントにおいてチェックインをすると、客にＲＦＩＤタグ８を備えたＩＣカード７を内蔵したスコアカードホルダーを貸与する。このスコアカードホルダーは、客一人毎に一枚割り当てられる。
【００３０】
貴重品を保管したい客が集合型貴重品保管装置に接近すると、人体センサーが感知して、音声案内動作を開始する。
【００３１】
（１）図５（ａ）のフローチャートに示すように、収納ボックス２に空きがない場合には、音声案内により収納ボックス２に空きがない旨を利用者に知らせるが、それにも拘わらず、スコアカードホルダーが枠部43に嵌め込まれると、タッチパネル31に空きがない旨を表示するとともに、枠部43の昇降部材44を押し上げてスコアカードホルダーを返却モードにする。
【００３２】
（２）収納ボックス２に空きがある場合には、利用者が枠部43に嵌め込んだスコアカードホルダーのＩＣカード７がリーダライタ４のアンテナ41に接近するので、ＩＣカード７のＲＦＩＤタグ８がリーダライタ４からの電波を受信して起電力が発生すると、ＩＣチップ81が起動してメモリに既に格納されているＩＤデータを送信する。
【００３３】
（３）リーダライタ４側で受信したＲＦＩＤタグ８のＩＤデータが、コンピュータ６に伝送されると、ＩＤデータを格納するとともに利用者が来たものと判断して、タッチパネル31に収納ボックス２の空き状況を表示する。
【００３４】
（４）利用者が、タッチパネル31に触れることにより、空いている収納ボックス２の選択を促す。
【００３５】
（５）利用者が収納ボックス２を選択すると、指紋リーダー５に指先を押し付けるように促す。指紋リーダー５に利用者が指先を触れることにより指紋データの収集が完了すると、この指紋データと、ＩＣカード７のＩＤデータと、選択された収納ボックス２の番号とを関連付けて、コンピュータ６のメモリーに格納する。
【００３６】
（６）そして、利用者が選択した収納ボックス２の電磁錠を解錠して、その収納ボックス２の表示器22を点滅させる。
【００３７】
（７）利用者が解錠された収納ボックス２に貴重品を入れて扉21を閉めると電磁錠が施錠される。
【００３８】
（８）このとき、利用者が、収納ボックス２に貴重品を入れたのち、扉21を完全に閉じた場合には、一連の手順を完結したものと判断して、枠部43に嵌め込まれたスコアカードホルダーを返却モードにする。しかし、扉21を完全に閉じることなく半開きにした場合には、一連の手順を完結しないものと判断して、枠部43に嵌め込まれたスコアカードホルダー71を返却モードにしない。
【００３９】
このようにして、収納ボックス２の扉21が開かれたのち、扉21が閉められると施錠して利用状態になる。この収納ボックス２が利用状態になると、当該収納ボックス２の表示器22を連続点灯させて使用中であることを表示する。
【００４０】
利用者が収納ボックス２から貴重品を取り出す場合には、利用者が集合型貴重品保管装置に接近すると、生体センサーが感知して音声案内動作を開始する。
【００４１】
（１０）図５（ｂ）のフローチャートに示すように、音声案内にしたがって、利用者が、ＩＣカード７を内蔵したスコアカードホルダーを枠部43に嵌め込んでリーダライタ４に接近させると、ＲＦＩＤタグ８がリーダライタ４からの電波を受信して起電力が発生するので、ＩＣチップ81が起動してメモリに既に格納されているＩＤデータをコンピュータ６に伝送する。
【００４２】
（１１）コンピュータ６において、ＩＣカード７のＩＤデータを認識すると、利用者がすでに収納ボックス２を使用しているか否かを調べて、収納ボックス２を使用している利用者である場合には、貴重品を取り出しに来たものと判断する。このとき、収納ボックス２が使用されていない場合には、枠部43の昇降部材44を押し上げてスコアカードホルダーを返却モードにする。
【００４３】
（１２）そして、指紋リーダー５に指先を触れるように促して、指紋リーダー５に利用者が指先を触れることにより指紋データの収集が完了する。
【００４４】
（１３）先に収集した指紋データおよびスコアカードホルダーのＩＤデータとを対照して一致していると、先に利用者が選択した番号の収納ボックス２の表示器22が点滅させるとともに電磁錠を解錠する。
【００４５】
（１４）利用者が、表示器22が点滅している収納ボックス２の扉21を開いて、貴重品を取り出したのち扉21を閉じると、一連の操作は終了する。そして、その収納ボックス２の表示器22を連続点灯させて、枠部43に嵌め込まれたスコアカードホルダーを返却モードにする。しかし、扉21を完全に閉じることなく半開きにした場合には、返却モードにしない。
【００４６】
当日中、１つの収納ボックス２の利用を一人の利用者に限定するように構成しておくと、スコアカードホルダーを枠部43に嵌め込んでリーダライタ４に接近させてから、指紋リーダー５に指先を触れる操作により、何度でも扉21を解錠・解錠して貴重品の出し入れが可能である。
【００４７】
以上で説明した実施形態においては、ＩＣチップ81のＩＤデータを書換えることなく継続して使用しているが、１回の利用毎に任意のデータに書換えて使用するように構成しておくと、セキュリティを向上させることができる。
【００４８】
ＩＤデータとして、コンピュータ６が任意に割り当てた数値からなるＩＤデータに限ることなく、例えば、来場回数等の顧客管理データとして総合的に管理することに用いてもよい。会員には各個人のデータを登録したＩＣカードを予め支給しておいて、利用状況を管理するようにしておけば便利である。
【００４９】
以上で説明した実施の形態においては、利用者のＩＣカード７をリーダライタ４に接近させるように保持して、貴重品の格納・取出しの一連の手順を完結するまで取り去りを困難ならしめるように枠部43およびＩＣカードの昇降部材44を設けている。しかし、このような構成に限ることなく、一時的にＩＣカードを拘束または取去り困難にするものであれば、如何なる構成でもよいのである。
【００５０】
利用者のＩＣカード７を保持して取り去りを困難ならしめる枠部43を、パネル46に貼り付けるように構成しておくと、使用するスコアカードホルダーの形状が変わっても、貼り付ける枠部43を変更することにより、各種形状のスコアカードホルダーに対応することができる。
【図面の簡単な説明】
【００５１】
【図１】この発明の集合型貴重品保管装置の外観を示す斜視図、
【図２】図１に示す装置の操作・表示部を示す正面図、
【図３】図１に示す装置における操作部のタッチパネルを示す正面図、
【図４】図１に示す装置におけるＩＣカードを保持するＩＣカード保持部材を示す縦断面図、
【図５】この発明の集合型貴重品保管装置の動作を説明するフローチャート、
【図６】図１に示す装置において用いるリーダライタのブロック図、
【図７】図１に示す装置において用いるＲＦＩＤタグを示す概要図である。
【符号の説明】
【００５２】
１  筐体本体
２  収納ボックス
21  扉
22  ランプ
３  操作・表示部
31  タッチパネル
４  リーダライタ
41  リーダライタのアンテナ
42  コントローラー
43  枠部
44  昇降部材
５  指紋リーダー
６  コンピュータン
７  ＩＣカード
８  ＲＦＩＤタグ
81  ＩＣチップ
82  アンテナ
【図１】
2011137351.tif 000003
【図２】
2011137351.tif 000004
【図３】
2011137351.tif 000005
【図４】
2011137351.tif 000006
【図５】
2011137351.tif 000007
【図６】
2011137351.tif 000008
【図７】
2011137351.tif 000009